(57)【特許請求の範囲】
【請求項１】
押し出し材で構成され、内部に光源を収容する器具本体と、その器具本体の前面側の開口部を塞ぐ矩形の透光板とを備え、前記器具本体内の光源が出射した光を前記透光板を通じて外部に出力する照明器具において、
前記器具本体は、その押し出し方向に延びる上板と、前記押し出し方向に延びる部材であって前記上板から互いに対向した状態で前面側に向けて立設された一対の縦板とが一体形成され、前記一対の縦板の内側で互いに対向する位置に、それぞれ、前記押し出し方向に延びる溝が形成されているとともに、前記透光板の縁部内面及び縁部外面と前記透光板の端面との３面に当接可能な外周パッキンと、前記器具本体の押し出し方向における両端部の開口を塞ぐ側板と、その各側板の内側に配置される板状の側板パッキンとを備え、
前記透光板の周縁部に前記外周パッキンが配置された状態で、当該透光板の縁部及び外周パッキンが前記一対の縦板の溝内に、その各溝の内面と前記透光板の縁部との間に前記外周パッキンが圧縮された状態で嵌め込まれているとともに、
前記器具本体に前記側板を取り付けた状態で、前記器具本体の押し出し方向の端面が前記側板の内側の側板パッキンに押圧状態で当接し、かつ前記透光板の前記押し出し方向の端面と前記側板の内面との間に前記外周パッキンが圧縮された状態で挟み込まれており、
前記側板パッキンには、前記透光板の前記押し出し方向の端面と前記側板の内面との間に配置される前記外周パッキンの幅方向の端部に当接する押え部が設けられていることを特徴とする照明器具。
【請求項２】
請求項１記載の照明器具において、
前記器具本体の一対の縦板は、器具本体に前記透光板が嵌め込まれていない状態のときには、当該器具本体に前記透光板が嵌め込まれている状態のときと比較して、当該一対の縦板の溝間の間隔が小さくなるように内側に傾いていることを特徴とする照明器具。
【発明の詳細な説明】
【技術分野】
【０００１】
本発明は、屋外環境で使用される防水型の照明器具に関し、さらに詳しくは、器具本体（筐体）が押し出し材で構成された照明器具に関する。
【背景技術】
【０００２】
屋外環境で使用される防水型の照明器具にあっては、前面側が開口された器具本体に光源を収容し、その器具本体の開口部をガラス板等の透光性カバーによって塞ぐ構造のものがある（例えば特許文献１、２参照）。このような防水型の照明器具の一例を図１４（Ａ）、（Ｂ）に示す。
【０００３】
この図１４に示す照明器具５００は、前面側と側部とが開口され、光源（図示せず）を収容する器具本体５０１、器具本体５０１の前面側の開口部５０１ａ（投光用の開口部）を塞ぐガラス板（透光性カバー）５０２、器具本体５０１の側部の開口部を塞ぐ側板５０３、ガラス板５０２を器具本体５０１に開閉自在に支持するヒンジ５０５、器具本体５０１とガラス板５０２との合わせ部の防水を確保するパッキン５０４、及び、ガラス板５０２を器具本体５０１に押え付けて当該ガラス板５０２を器具本体５０１に固定するための押え金具５０６などを備えている。
【０００４】
このような構造の照明器具５００において、器具本体５０１内の光源のメンテナンスなどを行う際には、押え金具５０６によるガラス板５０２の押え付けを解除し、そのガラス板５０２を前面側（下方側）に開くことによって器具本体５０１の内部を開口部５０１ａを通じて開放している。
【０００５】
ところで、図１４に示す照明器具５００によれば、ガラス板５０２をパッキン５０４に押え付けることによって防水を確保する構造であるので、その押え付けるための押え金具５０６、及び、ガラス板５０２を開閉自在に支持するヒンジ５０５などの部品が必要である。また、ヒンジ５０５をガラス板５０２に取り付けるための加工等も必要であるので製品コストが高くなる。
【０００６】
そこで、本願特許出願人は、押し出し材で構成された器具本体と、その器具本体の前面側の開口部を塞ぐ矩形の透光板を用いた構造で、ヒンジ及び押え金具などを不要とした照明器具を提案している。この提案の照明器具では、器具本体を、押し出し方向に延びる上板と、この上板から互いに対向した状態で前面側に向けて立設された一対の縦板とが一体形成された構造とし、その一対の縦板の内側で互いに対向する位置にそれぞれ器具本体の押し出し方向に延びる溝（パッキン溝）を形成している。そして、透光板（ガラス板）の外周縁部に外周パッキンを嵌め込んだ状態で、当該透光板の縁部及びパッキンを前記器具本体の一対の縦板の溝内に、その各溝の内面と透光板の縁部との間にパッキンを圧縮した状態で嵌め込むことにより、器具本体の前面側に透光板を取り付けている。
【先行技術文献】
【特許文献】
【０００７】
【特許文献１】特開２００５−１６６６２８号公報
【特許文献２】特開２００８−３１１０６２号公報
【発明の概要】
【発明が解決しようとする課題】
【０００８】
ところで、上記した提案の照明器具つまり押し出し材で構成される器具本体を用いた照明器具にあっては、器具本体の押し出し方向における両端部の開口は側板（サイドカバー）によって塞いでおり、その側板の内側に配置した板状の側板パッキンによって防水性能を確保しているが、器具本体に側板を組み付けた際に、透光板（ガラス板）周縁の外周パッキンと側板パッキンとの密着状態が悪くなることがあり、防水性能が低下する場合がある。
【０００９】
本発明はそのような実情を考慮してなされたもので、安価な構成で器具内への水の浸入をより確実に防止することが可能な照明器具を提供することを目的とする。
【課題を解決するための手段】
【００１０】
本発明は、押し出し材で構成され、内部に光源を収容する器具本体と、その器具本体の前面側の開口部を塞ぐ矩形の透光板（例えばガラス板）とを備え、前記器具本体内の光源が出射した光を前記透光板を通じて外部に出力する照明器具を前提としている。
【００１１】
このような照明器具において、前記器具本体は、その押し出し方向に延びる上板と、前記押し出し方向に延びる部材であって、前記上板から互いに対向した状態で前面側に向けて立設された一対の縦板とが一体形成されている。また、前記一対の縦板の内側で互いに対向する位置に、それぞれ、前記器具本体の押し出し方向に延びる溝（パッキン溝）が形成されている。さらに、前記透光板の縁部内面及び縁部外面と前記透光板の端面との３面に当接可能な外周パッキンと、前記器具本体の押し出し方向における両端部の開口を塞ぐ側板と、その各側板の内側に配置される板状の側板パッキンとを備えており、前記透光板の縁部に前記パッキンが配置された状態で、当該透光板の縁部及びパッキンが前記一対の縦板の溝内に、その各溝の内面と前記透光板の縁部との間に前記パッキンが圧縮された状態で嵌め込まれている。さらに、前記器具本体に前記側板を取り付けた状態で、前記器具本体の押し出し方向の端面が前記側板の内側の側板パッキンに押圧状態で当接し、かつ前記透光板の前記押し出し方向の端面と前記側板の内面との間に前記外周パッキンが圧縮された状態で挟み込まれている。そして、前記側板パッキンには、前記透光板の前記押し出し方向の端面と前記側板の内面との間に配置される前記外周パッキンの幅方向の端部（外周パッキンの側辺部の幅方向の端部）に当接する押え部が設けられていることを特徴としている。なお、「幅方向」とは、「押し出し方向」と直交する方向のことである。
【００１２】
本発明によれば、器具本体の縦板に設けた溝に外周パッキン及び透光板の縁部を嵌め込むことにより、透光板を器具本体に取り付ける構造であるので、図１４に示す構造の照明器具つまりヒンジ及び押え金具などが必要なものに比べて部品数を削減することができ、製品コストの低減化をはかることができる。
【００１３】
また、透光板の縁部が一対の縦板の溝内に、その各溝内面と透光板の縁部との間に外周パッキンが圧縮された状態で嵌め込まれているので、透光板の縁部内面及び縁部外面（器具本体の内部側の面及び外部側の面）と、透光板の端面との３面に外周パッキンが密着するようになる。これにより照明器具内に水が浸入することを確実に防止することができ、目的とする防水性能を確保することができる。
【００１４】
さらに、側板パッキンには、透光板の端面（器具本体の押し出し方向の端面）と側板の内面との間に配置される外周パッキンの幅方向の端部（側辺部の幅方向の端部）に当接する押え部が設けられているので、側板を器具本体に取り付ける際に、透光板の端面と側板の内面との間の外周パッキン（側辺部）が圧縮されて幅方向に広がろうとする力によって、当該外周パッキンの端部と側板パッキンの押え部との密着性が高くなり、この部分の防水性能をより一層高めることができる。
【００１５】
このように本発明によれば、器具内に水が浸入することをより確実に防止することが可能な照明器具を安価な構成で実現することができる。
【００１６】
本発明において、器具本体の一対の縦板は、当該器具本体に透光板及びパッキンが嵌め込まれていない状態のときには、器具本体に透光板及びパッキンが嵌め込まれている状態のときと比較して、一対の縦板の溝間の間隔（押し出し方向と直交する方向の間隔）が小さくなるように内側に傾いた形状（図７参照）であることが好ましい。
【００１７】
ここで、本発明の照明器具にあっては、透光板の周縁部に外周パッキンを取り付けた状態で、器具本体の一対の縦板の各溝に透光板の縁部及び外周パッキンを器具本体の側方から嵌め込むという方法で透光板を器具本体に取り付ける。つまり、縦板の溝内に外周パッキンをスライド挿入することにより透光板を器具本体に取り付ける。このため、外周パッキンの締め代（圧縮代）を大きくすると、外周パッキンの挿入性が低下して透光板の全体を溝に嵌め込むことができなる場合がある。一方、外周パッキンの締め代を小さくすると、外周パッキンの挿入性は良くなるものの、目的とする防水性能を確保できなる場合がある。
【００１８】
このような点を考慮して、本発明では、上記した透光板及び外周パッキンを一対の縦板の溝に嵌め込む際に、拡幅用治具を用いて一対の縦板を外側に強制的に押し広げて当該一対の縦板の溝の間隔を大きくしておく。そして、この状態で、一対の縦板の各溝内に、それぞれ透光板の縁部に配置した外周パッキン及び透光板の縁部を嵌め込んだ後に、拡幅用治具を除去するという方法により器具本体に透光板を嵌め込む。このような方法を採用することにより、外周パッキンの締め代を大きくしても、透光板及び外周パッキンを器具本体の正規の位置まで挿入することが可能となるので、目的とする防水性能を確保することができる。
【発明の効果】
【００１９】
本発明の照明器具によれば、安価な構成で器具内への水の浸入をより確実に防止することができる。
【図面の簡単な説明】
【００２０】
【図１】本発明の照明器具の一例を示す外観斜視図である。
【図２】図１の照明器具の分解斜視図である。
【図３】図１の照明器具を、押し出し方向と直交する平面で切断して示す断面図である。
【図４】図１の照明器具を押し出し方向に沿う平面で切断して示す端面図である。
【図５】図５（Ａ）は図４のＩ−Ｉ端面図であり、図５（Ｂ）は図５（Ａ）相当図であって外周パッキンの側辺部を圧縮しない状態で示す図である。
【図６】ガラス板及び外周パッキンと側板パッキンとの配置関係を示す図である。
【図７】図１の照明器具の器具本体のみを抽出して示す側面図である。
【図８】図１の照明器具の器具本体のみを抽出して示す斜視図である。
【図９】ガラス板に外周パッキンを装着した状態を示す平面図（Ａ）及び断面図（Ｂ）を併記して示す図である。
【図１０】側板パッキンの斜視図である。
【図１１】側板及び側板パッキンの斜視図である。
【図１２】器具本体にガラス板を嵌め込む際に用いる拡幅治具の一例を模式的に示す平面図（Ａ）及び断面図（Ｂ）を併記して示す図である。なお、図１２（Ｂ）は図１２（Ａ）のＩＩ−ＩＩ断面図である。
【図１３】器具本体にガラス板を嵌め込む際の作業説明図である。
【図１４】従来の照明器具の一例を示す外観斜視図（Ａ）、及び、断面図（Ｂ）を併記して示すである。なお、図１４（Ｂ）において内部機構は省略している。
【図１５】器具本体への側板の取付構造の一例を示す断面図である。
【発明を実施するための形態】
【００２１】
以下、本発明の実施形態を図面に基づいて説明する。
【００２２】
本発明の照明器具の一例について図１〜図１１を参照して説明する。
【００２３】
この例の照明器具１００は、器具本体１、ガラス板（透光板）２、２枚の側板３，３、外周パッキン４、ＬＥＤ光源５、光源取付板６、及び、２枚の側板パッキン７、７などによって構成されている。
【００２４】
器具本体１はアルミニウム等の押し出し成形品（押し出し材）である。器具本体１は、押し出し方向に延びる平板状の上板１１と、押し出し方向に延びる部材であって上板１１の両端部（押し出し方向と直交する方向の端部）からそれぞれ互いに対向した状態で前面側（照明側）に向けて立設された一対の縦板１２，１２とが一体形成されている。
【００２５】
器具本体１の前面側と押し出し方向の両端部（側部）とは開口されている。以下、この器具本体１の前面側の開口を開口部１ａという。また、器具本体１の両端部の開口を開口部１ｂという。
【００２６】
器具本体１には、一対の縦板１２，１２の内側で互いに対向する位置に、それぞれ、器具本体１の押し出し方向に延びるパッキン溝１２ａ，１２ａが形成されている。これらパッキン溝１２ａ，１２ａは、器具本体１の押し出し方向における一端から他端にわたって形成されている。各パッキン溝１２ａ，１２ａの溝幅は、外周パッキン４の締め代を考慮して、ガラス板２の縁部に嵌め込んだ状態での外周パッキン４（図９（Ｂ）参照）の厚さ（ガラス板２と直交する方向の厚さ）よりも所定量だけ小さい寸法に設定されている。
【００２７】
また、器具本体１には、一対の縦板１２，１２の内側で互いに対向する位置に、それぞれ、器具本体１の押し出し方向に延びる光源取付溝１２ｂ，１２ｂが形成されている。これら光源取付溝１２ｂ，１２ｂも上記パッキン溝１２ａと同様に、器具本体１の一端から他端にわたって形成されている。
【００２８】
さらに、器具本体１には、上板１１と各縦板１２との連結部（角部）と、各縦板１２の光源取付溝１２ｂに近傍位置とに、それぞれ、ねじ用孔１２ｃ・・１２ｃが形成されている。これら４つのねじ用孔１２ｃ・・１２ｃは、後述する側板３を器具本体１にねじ止めによって固定するための孔である。なお、各ねじ用孔１２ｃ内には雌ねじを加工しておいてもよい。
【００２９】
以上の構成の器具本体１にあっては、一対のパッキン溝１２ａ，１２ａに、後述するガラス板２の縁部及び外周パッキン４が嵌め込まれていない状態（図７に示す状態）で、器具本体１の一対の縦板１２，１２は上板１１と直交する面Ｆｚに対してそれぞれ内側に傾いている。この状態（ガラス板２未装着の状態）での一対のパッキン溝１２ａと１２ａとの間の間隔Ｄａは、一対のパッキン溝１２ａ，１２ａにガラス板２の縁部及び外周パッキン４が嵌め込まれている状態（組立完了状態）のときの一対のパッキン溝１２ａと１２ａとの間隔Ｄｂ（図１３（Ｃ）参照）よりも小さい（Ｄａ＜Ｄｂ）。
【００３０】
ガラス板２は例えば透明強化ガラス板である。ガラス板２は、器具本体１の前面側の開口部１ａを塞ぐものであって、器具本体１内に配置のＬＥＤ光源５から出射した光はこのガラス板２を通じて外部に出力される。ガラス板２は、図２〜図５などに示すように、当該ガラス板２の縁部（周縁部）に外周パッキン４を取り付けた状態で器具本体１のパッキン溝１２ａ，１２ａに嵌め込まれる。その嵌め込み方法については後述する。
【００３１】
ここで、図９に示すガラス板２のＸ方向（器具本体１の押し出し方向）の長さ寸法は、器具本体１の縦板１２，１２の押し出し方向の長さ寸法と同じであり、図４及び図５に示すように、ガラス板２を器具本体１に嵌め込んだ状態で、そのガラス板２の押し出し方向の端面２ｅと、縦板１２，１２の端面１２ｅ，１２ｅとを同じ位置に配置することができる。
【００３２】
なお、ガラス板２の押し出し方向の長さを縦板１２，１２よりも所定量だけ短い長さとして、ガラス板２を器具本体１に嵌め込んだ状態で、縦板１２，１２の端面１２ｅ，１２ｅに対しガラス板２の端面２ｅが僅かに内側に凹む形態となるようにしてもよい。
【００３３】
外周パッキン４は、ガラス板２の器具本体１への取り付け部分の防水性を確保するものである。外周パッキン４は、図９（Ａ）に示すように、互いに対向する一対の長辺部４２，４２と、互いに対向する一対の側辺部４１，４１とからなる矩形環状の部材である。外周パッキン４の４角（側辺部４１の角部）にはそれぞれアールが形成されている（図５（Ｂ）参照）。外周パッキン４は、図９（Ｂ）の断面図に示すように、互い所定の間隔を隔てて対向する上下の横片４ａ，４ｂ及び縦片４ｃを有し、これら横片４ａ，４ｂ及び縦片４ｃによって囲われる凹部内にガラス板２の縁部を嵌め込むようになっている。そして、外周パッキン４をガラス板２の周縁部に嵌め込んだ状態で、外周パッキン４の２つの横片４ａ，４ｂの内面がガラス板２の縁部内面２ａと縁部外面２ｂとにそれぞれ当接する。さらに、外周パッキン４の縦片４ｃの内面がガラス板２の端面２ｅに当接する。
【００３４】
なお、外周パッキン４の材質としては、例えばＣＲ（クロロプレンゴム）またはシリコン等のスポンジゴム、あるいはＥＰＴ（エチレン−プロピレン ターポリマ）等の合成樹脂などが挙げられる。
【００３５】
そして、ガラス板２に外周パッキン４を嵌め込んだ状態（図９（Ａ）の状態）での幅方向（Ｙ方向：押し出し方向と直交する方向）の寸法Ｗａ（Ｗａ＝［ガラス板２の幅寸法］＋２×［外周パッキン４の縦片４ｃの肉厚］）は、ガラス板２の縁部及び外周パッキン４を器具本体１のパッキン溝１２ａ，１２ａに嵌め込んだ状態（外周パッキン４の締め代が圧縮された状態）において、器具本体１の一対の縦板１２，１２が外側に向けて変形し、その各縦板１２の外面が上板１１と直交する面Ｆｚに沿うように（上板１１に対して各縦板１２が垂直となるように）設定されている。
【００３６】
また、ガラス板２に外周パッキン４を嵌め込んだ状態での長さ方向（Ｘ方向：押し出し方向）の寸法Ｌａは、（Ｌａ＝［ガラス板２の押し出し方法の長さ］＋２×［外周パッキン４の縦片４ｃの肉厚］）であり、ガラス板２の縁部及び外周パッキン４を器具本体１のパッキン溝１２ａ，１２ａに嵌め込んだ状態で、図５に示すように、外周パッキン４の側辺部４１，４１のみが器具本体１の縦板１２の押し出し方向（Ｘ方向）の端面１２ｅから外側（側板３側）に突き出すようになっている（ガラス板２は器具本体１の縦板１２から突出しない）。
【００３７】
ＬＥＤ光源５は、ＬＥＤランプ（発光ダイオードランプ）を基板上に実装したものであって、器具本体１に光源取付板６を介して取り付けられる。
【００３８】
光源取付板６は、図３に示すように、板材を折り曲げ加工した部材であって、第１傾斜部６ａと、第２傾斜部６ｂと、第１傾斜部６ａ側の取付部６ｃと、第２傾斜部６ｂ側の取付部６ｄとが一体形成されており、第１傾斜部６ａにＬＥＤ光源５が着脱自在に取り付けられている。なお、第２傾斜部６ｂは反射板としても機能する。そして、この光源取付板６は、一方の取付部６ｃを器具本体１の一方の縦板１２の光源取付溝１２ｂに嵌め込み、他方の取付部６ｄを器具本体１の他方の縦板１２の光源取付溝１２ｂに嵌め込むことによって器具本体１に組み付けることができる。
【００３９】
次に、側板３，３及び側板パッキン７，７について、図２、図４〜図６、及び、図９〜図１１を参照して説明する。なお、２つの側板３と側板３とは同じ構成であり、また、２つの側板パッキン７と側板パッキン７とも同じ構成であるので、以下の説明では、１つの側板３及び側板パッキン７についてのみ説明する。
【００４０】
（側板）
側板３は、器具本体１の端部（側部）の開口部１ｂを塞ぐ側面矩形状の部材（例えば、アルミニウム等の加工品）である。側板３の周縁には内側に突出するフランジ３１が一体形成されている。また、側板３には、それぞれ、４つのねじ挿通孔３ｂ・・３ｂが設けられている（図２参照）。これら４つのねじ挿通孔３ｂ・・３ｂは、器具本体１（ガラス板２を取り付けた状態（図３、図４等の状態）の器具本体１）のねじ用孔１２ｃ・・１２ｃに対応する位置に設けられている。
【００４１】
さらに、側板３には、側板３のフランジ３１の下片３１ａの内側に化粧バー２１が配置されている（図２、図４及び図１１参照）。化粧バー２１は側板３の幅方向に延びる断面矩形の部材であって、ビス止めによって側板３のフランジ３１に固定されている。このような化粧バー２１を配置しておくことにより、ガラス板２の前面を伝って流れる水が外周パッキン４に直接当たることを防止することができる。
【００４２】
そして、このような側板３は、図２に示すように、小ねじ（例えば、タッピングビス）８・・８を用いて器具本体１の端部（側部）に後述する側板パッキン７を挟んだ状態で取り付けられる。
【００４３】
なお、この例の照明器具１００において、器具本体１内のＬＥＤ光源５のメンテナンスなどを行う際には、器具本体１の両端部の側板３，３のいずれか一方もしくは両方を開放して行うことができる。また、図示はしないが、側板３，３のいずれか一方もしくは両方には電線貫通用の孔が設けられている。
【００４４】
（側板パッキン）
側板３の内面３２（フランジ３１の内側）には、板状の側板パッキン７が配置されている。側板パッキン７は、例えば厚さが２ｍｍのシリコンゴム製のパッキンであって、側板３の内面３２に接着されている。側板パッキン７は、図１０及び図１１等に示すように、全体形状が側板３の形状（フランジ３１の内側の形状）に対応する矩形状に成形されており、上辺部７２及び一対の縦辺部７３，７３を備えている。各縦辺部７３については当該側板パッキン７の下端部（後述するスリット孔７ａの周縁部）までの範囲を縦辺部７３としている。そして、これら上辺部７２及び一対の縦辺部７３，７３は、器具本体１の上板１１及び縦板１２，１２に対応する位置に設けられており、図４及び図５に示すように、側板３を器具本体１に取り付けた状態で、器具本体１の上板１１及び縦板１２，１２の押し出し方向の各端面１１ｅ，１２ｅが、側板パッキン７の上辺部７２及び一対の縦辺部７３，７３に押圧状態で当接し、これら上板１１及び縦板１２，１２の各端面１１ｅ，１２ｅと、側板パッキン７の上辺部７２及び一対の縦辺部７３，７３とがそれぞれ密着した状態となるので、この部分の防水性能を確保することができる。
【００４５】
また、側板パッキン７には、４つのねじ挿通孔７ｂ・・７ｂが設けられている（図１０参照）。これら４つのねじ挿通孔７ｂ・・７ｂは側板３のねじ挿通孔３ｂ・・３ｂに対応する位置に設けられている。
【００４６】
さらに、側板パッキン７の下部には、当該側板パッキン７の幅方向（Ｙ方向）に沿って延びるスリット孔7ａが設けられている。そのスリット孔７ａは、器具本体１にガラス板２を嵌め込んだ状態（図４参照）で、そのガラス板２のＸ方向（器具本体１の押し出し方向）の両端部の外周パッキン４つまり側辺部４１に対応する位置に設けられている。スリット孔7ａの幅方向（長手方向）の寸法Ｓａ（図１０参照）は、ガラス板２に外周パッキン４を嵌め込んだ状態（図９（Ａ）の状態）での幅方向（Ｙ方向：押し出し方向と直交する方向）の寸法Ｗａと同じである。また、スリット孔７ａの高さ方向の寸法は、外周パッキン４（図９（Ｂ）参照）の厚さ（ガラス板２と直交する方向の厚さ）と同じである（図６参照）。そして、そのスリット孔７ａの幅方向の各縁部がそれぞれ押え部７１となっている。
【００４７】
このようにして側板パッキン７にスリット孔７ａを形成して側板パッキン７に押え部７１を設けておくことにより、図５に示すように、側板３を器具本体１の端部の所定位置に配置した状態（図５（Ｂ）に示す状態）で、外周パッキン４の側辺部４１，４１の幅方向（Ｙ方向）の各端部に押え部７１，７１が当接し、その側板３を器具本体１にねじ止め固定した状態（図５（Ａ）に示す状態：ねじ止め固定の方法は後述）で、外周パッキン４の側辺部４１の各端部と側板パッキン７の押え部７１，７１とが密着するので、この部分の防水性能を確保することができる。
【００４８】
ここで、側板パッキンの形状は図１０に示す形状に限定されない。例えば図１０において、上辺部７２及び一対の縦辺部７３，７３によって囲われる開口部７ｃとスリット孔７ａとの間に存在する片部を除去した形状（開口部７ｃとスリット孔７ａとを連通した形状）の側板パッキンであってもよい。
【００４９】
＜効果＞
以上説明したように、本実施形態の照明器具１００によれば、器具本体１の縦板１２，１２に設けたパッキン溝１２ａ，１２ａに外周パッキン４及びガラス板２の縁部を嵌め込むことにより、ガラス板２を器具本体１に取り付ける構造であるので、図１４に示す構造の照明器具５００つまりヒンジ及び押え金具などが必要なものに比べて、部品数を削減することができ、製品コストの低減化をはかることができる。
【００５０】
また、ガラス板２の縁部が縦板１２のパッキン溝１２ａ内に、そのパッキン溝１２ａの内面とガラス板２の縁部との間に外周パッキン４が圧縮された状態で嵌め込まれているので、ガラス板２の縁部内面２ａ及び縁部外面２ｂ（器具本体１内部側の面及び外部側の面）とガラス板２の端面２ｅとの３面に外周パッキン４（横片４ａ，４ｂ及び縦片４ｃ）が密着する。これにより、照明器具１００内に水が浸入することを確実に防止することができ、目的とする防水機能を確保することができる。
【００５１】
さらに、板状の側板パッキン７に、外周パッキン４の側辺部４１，４１の端部に当接する押え部７１，７１を設けているので、防水性能をより一層高めることができる。この点について説明する。
【００５２】
まず、器具本体への側板の取付構造として、例えば図１５に示す構造が考えられる。
【００５３】
この図１５の構造では、側板２０３の内面にパッキン溝（凹部）２０３ａが形成されている。パッキン溝２０３ａは、当該側板２０３を器具本体２０１の端部の所定位置に配置した状態で、器具本体２０１に嵌め込んだガラス板２０２（外周パッキン２０４）の押し出し方向の端部と対応する位置に設けられている。また、側板２０３の内側には側板パッキン２０７が配置されている。
【００５４】
そして、この図１５に示す構造によれば、ガラス板２０２を器具本体２０１に嵌め込んだ状態で、ガラス板２０２の端面（器具本体２０１の押し出し方向の端面）２０２ｅが、器具本体２０１の縦板２１２の端面２１２ｅよりも外方に突き出しているため、図１５に示す状態（外周パッキン２０４が圧縮されていない状態）から、側板２０３をねじによって器具本体２０１に向けて移動させた場合、外周パッキン２０４のＧ部分（器具本体２０１の縦板２１２の端面２１２ｅとガラス板２０２の端面２０２ｅとの間の部分）に皺が発生してしまう。この皺の発生により、ガラス板２０２の外周パッキン２０４と側板パッキンとの密着状態が悪くなり、防水性能が低下する場合がある。
【００５５】
これに対し、本実施形態では、側板３の内面３２には上記パッキン溝がない構造とし、図５に示すように、ガラス板２を器具本体１に嵌め込んだ状態で、そのガラス板２の押し出し方向の端面２ｅと縦板１２，１２の端面１２ｅ，１２ｅとが同じ位置となるようにしている。さらに、外周パッキン４の側辺部４１の角部にアールを設けて、その側辺部４１の角部と、側板３の内面３２及び側板パッキン７の縦辺部７３と間に隙間（外周パッキン４の側辺部４１の逃げ代）が空くようにしている（図５（Ｂ））。このような構造を採用することにより、外周パッキン４の長辺部４２，４２はその全長に亘ってガラス板２と縦板１２，１２との間に挟まれた状態となるので、側板３をねじによって器具本体１に向けて移動させる過程において長辺部４２，４２に皺が発生することがない。また、外周パッキン４の側辺部４１の幅方向の端部（図５（Ｂ）において縦板１２の端面１２ｅと側板パッキン７の縦辺部７３との間に相当する部分）については、上記隙間を設けているので、この部分にも皺が発生することはない。
【００５６】
さらに、側板３を器具本体１の端部の所定位置に配置した状態で、外周パッキン４の側辺部４１の幅方向（Ｙ方向）の各端部に、側板パッキン７の押え部７１が当接するようにしているので、図５（Ｂ）の状態（外周パッキン４の側辺部４１が圧縮されていない状態）から、側板３が器具本体１に向けて移動すると、側板３の内面３２とガラス板２の端面２ｅとで外周パッキン４の側辺部４１が圧縮され、その側辺部４１が幅方向に広がろうとする力によって、外周パッキン４と側板パッキン７とが密着するとともに、器具本体１の縦板１２，１２の端部が側板パッキン７の縦辺部７３，７３に食い込む（図５（Ａ））ので、この部分の防水性能をより一層高めることができる。
【００５７】
ここで、上記図１５に示す構造（ガラス板が縦板より出ている構造）のものと、本実施形態の構造（図５に示す構造）のものとを試作したところ、図１５に示す構造では外周パッキン２０４に皺が発生する場合があることが確認できた。これに対し、本実施形態の構造では外周パッキン２の皺の発生がなく、防水性能（気密性）がより高くなることが確認できた。
【００５８】
以上説明したように、本実施形態によれば、照明器具１００内に水が浸入することをより確実に防止することが可能な照明器具１００を安価な構成で実現することができる。
【００５９】
また、本実施形態では、当該器具本体１にガラス板２及び外周パッキン４が嵌め込まれていない状態（図７の状態）のときには、器具本体１にガラス板２及び外周パッキン４が嵌め込まれている状態（図３、図１３（Ｃ）の状態）のときと比較して、一対の縦板１２，１２のパッキン溝１２ａ，１２ａ間の間隔Ｄａが小さく（Ｄａ＜Ｄｂ）なるように、一対の縦板１２，１２が内側に傾いた形状としているので、一対の縦板１２，１２のパッキン溝１２ａ，１２ａにガラス板２の縁部及び外周パッキン４を嵌め込んだ状態での各縦板１２の弾性変形によるスプリング効果が大きくなり、各縦板１２が元の姿勢（内側）に戻ろうとする力（弾性力）、つまり外周パッキン４を締め付ける（圧縮する）力が更に大きくなる。その結果として、照明器具１００内に水が浸入することをより確実に防止することができる。
【００６０】
次に、この例の照明器具１００の製造方法（組立方法）について説明する。
【００６１】
（拡幅用治具）
まず、器具本体１にガラス板２を嵌め込む際に用いる拡幅用治具について、図１２（Ａ）及び（Ｂ）を参照して説明する。
【００６２】
この図１２に示す拡幅用治具９は、ベース板９ａと、複数のローラ９ｂ・・９ｂなどによって構成されている。各ローラ９ｂ・・９ｂは、ベース板９ａの幅方向（短手方向）の両端部に互いに対向する位置に対をなして配置されている。ベース板９ａの長手方向の一端部は先端に向かうにしたがって細くなるテーパ形状に加工されており、そのテーパ部９１に配置されているローラ９ｂ・・９ｂもテーパ状に配置されている。また、テーパ部９１を除く平行部９２に配置されているローラ９ｂ・・９ｂは一方向に平行な２本の平行線上に沿って配置されている。
【００６３】
各ローラ９ｂはベース板９ａに対して回転（自転）可能に支持されている。これらローラ９ｂ・・９ｂのうち、上記テーパ部９１の最先端に配置の一対のローラ９ｂとローラ９ｂとの外周面間の距離Ｒｘ（図１２（Ａ））は、図７に示す状態（ガラス板２を嵌め込んでいない状態）の器具本体１の一対の縦板１２と縦板１２との間にローラ９ｂ，９ｂを挿入できる寸法に設定されており、この最先端の一対のローラ９ｂ，９ｂから３列目の一対のローラ９ｂ，９ｂまでの間において、上記外周面間の距離Ｒｘが一定の割合で徐々に広がっている。
【００６４】
また、平行部９２において対をなしているローラ９ｂとローラ９ｂとの外周面間の距離Ｒａ（図１２（Ｂ））については、各対のローラ９ｂ，９ｂを器具本体１の縦板１２と縦板１２との間に配置した状態（図１３（Ａ）に示す状態）で、器具本体１の各縦板１２，１２が外側に押し広げられ、それら縦板１２，１２が、それぞれ、上記した垂直面Ｆｚ（図７参照）に対して外側に広がるようになっている。
【００６５】
なお、拡幅用治具９の平行部９２の長さは、例えば、器具本体１の押し出し方向の長さと同程度に設定されている。
【００６６】
（製造方法）
次に、この例の照明器具１００の製造方法（組立方法）について図１〜図１３を参照して説明する。
【００６７】
（Ｓ１）図９（Ａ）及び図９（Ｂ）に示すように、ガラス板２の周縁部に外周パッキン４を嵌め込んでおく。
【００６８】
（Ｓ２）拡幅用治具９を用いて器具本体１の縦板１２，１２を外側に強制的に広げる（拡幅する）。具体的には、器具本体１の押し出し方向の一端部と拡幅用治具９の先端部（テーパ部９１側の端部）とを対向して配置し、器具本体１を拡幅用治具９側に向けてスライド（または、拡幅用治具９を器具本体１側に向けてスライド）させることにより、拡幅用治具９を器具本体１内に挿入していく。この挿入過程において、拡幅用治具９のテーパ部９１に配置のローラ９ｂ・・９ｂによって器具本体１の一対の縦板１２，１２が順次外側に押し広げられる。そして、更に拡幅用治具９を器具本体１内に挿入して拡幅用治具９の平行部９２のほぼ全体を器具本体１内に配置する。この状態で、器具本体１の全長にわたって一対の縦板１２，１２が外側に押し広げられた状態（図１３（Ａ））となり、一対のパッキン溝１２ａ，１２ａの間の距離Ｄｃが、組立完了状態での距離Ｄｂ（図１３（Ｃ）参照）よりも大きくなる。これにより、外周パッキン４の締め代を大きくしても、パッキン溝１２ａ，１２ａに外周パッキン４をスムースに挿入することが可能になる。
【００６９】
（Ｓ３）上記（Ｓ１）において外周パッキン４を嵌め込んだガラス板２を、拡幅状態の一対の縦板１２，１２の一端側に配置し、このガラス板２の一辺部（長手方向の一辺部）を一対のパッキン溝１２ａ，１２ａ内に合わせた状態で、ガラス板２及び外周パッキン４を器具本体１内にスライド挿入していき、ガラス板２のほぼ全体を器具本体１に嵌め込む（図１３（Ｂ））。このとき、図５に示すように、ガラス板２の端面２ｅ（押し出し方向の端面）と縦板１２，１２の端面１２ｅ，１２ｅとが同じ位置となるようにしておく。
【００７０】
（Ｓ４）上記した（Ｓ３）の嵌め込み作業が完了した後、拡幅用治具９を挿入方向とは逆向き（もしくは同じ向き）にスライドさせて拡幅用治具９を器具本体１から除去する（図１３（Ｃ））。このようにして拡幅用治具９を除去すると、各縦板１２，１２の弾性力つまり各縦板１２，１２が元の姿勢（内側）に戻ろうとする力によって外周パッキン４が締め付けられた状態（圧縮された状態）でパッキン溝１２ａ内に嵌め込まれる。
【００７１】
（Ｓ５）以上のようにしてガラス板２を嵌め込んだ器具本体１の内部に、ＬＥＤ光源５（図３参照）を取り付けた状態の光源取付板６を挿入し、縦板１２，１２の光源取付溝１２ｂ，１２ｂに取り付ける。また、図示はしないが、光源取付溝１２ｂ，１２ｂ等を利用してＬＥＤ光源５の駆動用回路等の電気機器を器具本体１の内部に取り付ける。
【００７２】
次に、例えば、ＬＥＤ光源５の内部配線などを行った後に、器具本体１の両端部（側部）をそれぞれ側板３，３によって塞ぐ。具体的には、図２、図５及び図１１等に示すように、側板３，３の各内面３２に側板パッキン７を配置（接着）した状態で、各側板３の各ねじ挿通孔３ｂを器具本体１のねじ用孔１２ｃに合わせる。次に、各側板３の各ねじ挿通孔３ｂに小ねじ８を、防水ワッシャ８ａを嵌めた状態で挿通し、その小ねじ８を器具本体１のねじ用孔１２ｃにねじ込むことによって、各側板３を器具本体１に固定する。このようにして側板３，３を取り付けることにより、器具本体１の側部における防水性能を確保することができ、器具全体としての防水性能を確保することができる。また、各小ねじ８の頭部と側板３との間に防水ワッシャ８ａを挟み込んでいるので、各小ねじ８の挿通部の防水性能も確保することができる。
【００７３】
なお、ＬＥＤ光源５の内部配線や照明器具１００内への入線などの配線の引き回しについては、その具体的な説明は省略する。
【００７４】
以上の製造方法では、ガラス板２及び外周パッキン４を一対の縦板１２，１２のパッキン溝１２ａ，１２ａに嵌め込む際に、拡幅用治具９を用いて一対の縦板１２，１２を外側に強制的に押し広げて当該一対の縦板１２，１２のパッキン溝１２ａ，１２ａの間隔を大きくしておき、この状態で、一対の縦板１２，１２のパッキン溝１２ａ，１２ａ内に、ガラス板２の縁部に配置した外周パッキン４及びガラス板２の縁部を嵌め込むという方法を採用しているので、外周パッキン４の締め代を大きくしても、パッキン溝１２ａ，１２ａに外周パッキン４をスムースに挿入することができ、ガラス板２及び外周パッキン４を器具本体１の正規の位置まで挿入することが可能となるので、目的とする防水性能を確保することができる。
【００７５】
なお、このような点（外周パッキン４の締め代を大きくできる点）は、試作・実験等によって確認できている。また、器具本体１の一対の縦板１２，１２の変形時（図７の形状から図１３（Ａ）の形状（拡幅状態）への変形時）における器具本体１の各部の応力について解析したところ、その変形時の応力はいずれも降伏点よりも十分に小さいことが確認できた。
【００７６】
−他の実施形態−
以上の実施形態では、器具本体１（パッキン溝１２ａ，１２ａ）にガラス板２の縁部及び外周パッキン４が嵌め込まれていない状態で、器具本体１の一対の縦板１２，１２は上板１１と直交する面Ｆｚに対してそれぞれ内側に傾いた形状（図５参照）としているが、本発明はこれに限定されない。例えば、ガラス板２の縁部及び外周パッキン４が嵌め込まれていない状態で、器具本体の一対の縦板が上板と直交する面Ｆｚに沿う形状とし、器具本体にガラス板の縁部及び外周パッキンを嵌め込んだ状態で、一対の縦板がそれぞれ外側に傾くような構造としてもよい。
【００７７】
以上の実施形態では、器具本体１の断面形状を、平板状の上板１１の両端部から縦板１２，１２が垂直に立設する「コ」字形としているが、本発明はこれに限定されず、例えば「Ｕ」字形、円弧状などの他の断面形状の器具本体を用いてもよい。
【００７８】
以上の実施形態では、器具本体内に配置する光源をＬＥＤ光源としているが、本発明はこれに限られることなく、例えば、白熱電球、蛍光ランプなどの他の任意の光源であってもよい。
【００７９】
以上の実施形態では、器具本体の前面側の開口部を塞ぐ透光板として透明のガラス板２を用いているが、本発明はこれに限られることなく、透明樹脂板を用いてもよいし、また、半透明のガラス板や半透明樹脂板などの透光板を用いてもよい。
【産業上の利用可能性】
【００８０】
本発明は、屋外環境で使用される防水型の照明器具に利用可能であり、さらに詳しくは、器具筐体が押し出し材で構成された照明器具に有効に利用することができる。
【符号の説明】
【００８１】
１００  照明器具
１  器具本体
１１  上板
１２  縦板
１２ａ  パッキン溝
２  ガラス板（透光板）
２ａ  ガラス板の縁部内面
２ｂ  ガラス板の縁部外面
２ｅ  ガラス板の端面
３  側板
３２  側板の内面
４  外周パッキン
４ａ，４ｂ  パッキンの横片
４ｃ  パッキンの縦片
７  側板パッキン
７ａ  スリット孔
７１  押え部
【要約】
【課題】安価な構成で器具内への水の浸入をより確実に防止することが可能な照明器具を提供する。
【解決手段】押し出し材で構成される器具本体１の縦板１２に設けたパッキン溝１２ａに、外周パッキン４付きのガラス板２を嵌め込む構造としているので、ヒンジ及び押え金具などが必要なものに比べて、部品数を削減することができ、製品コストの低減化をはかることができる。しかも、器具本体１の両端部の開口を塞ぐ側板４の内側に配置する側板パッキン７に、ガラス板２に配置した外周パッキン４の側辺部４１の幅方向の端部に当接する押え部７１を設けて、当該外周パッキン４と側板パッキン７との密着性を高めているので、この部分の防水性能をより一層高めることができる。
【選択図】図５【図１】
0005630885.tif 000002
【図２】
0005630885.tif 000003
【図３】
0005630885.tif 000004
【図４】
0005630885.tif 000005
【図５】
0005630885.tif 000006
【図６】
0005630885.tif 000007
【図７】
0005630885.tif 000008
【図８】
0005630885.tif 000009
【図９】
0005630885.tif 000010
【図１０】
0005630885.tif 000011
【図１１】
0005630885.tif 000012
【図１２】
0005630885.tif 000013
【図１３】
0005630885.tif 000014
【図１４】
0005630885.tif 000015
【図１５】
0005630885.tif 000016